(57)【要約】【課題】携帯端末で視聴したい必要箇所を鮮明に表示することが可能な映像配信システムにおける携帯端末の映像表示方法を提供する。【解決手段】撮像装置１０１で撮像した映像を蓄積する蓄積配信サーバ１０３と、携帯端末１０５より要求された場合に蓄積配信サーバより該当映像を取得して携帯端末に配信する変換サーバ１０４を備え、携帯端末は変換サーバより取得した画像をディスプレイ上に表示し、表示した映像とその任意の位置及び範囲を指定し、その映像と指定情報とを変換サーバに送信し、変換サーバは蓄積配信サーバに蓄積している映像より携帯端末で指定された映像を取得し、取得した画像を用いて携帯端末で指定された位置及び範囲を切り出し携帯端末に表示する大きさの画像を作成し、作成した画像を携帯端末に配信し、携帯端末は変換サーバより取得した画像をディスプレイ上に表示することを特徴とする。【選択図】  図１
2008219935.tif 000002
【特許請求の範囲】
【請求項１】
蓄積配信装置から受信した画像をディスプレイに表示する携帯端末であって、
画像を複数指定する手段と、
前記指定された複数の画像情報に基づき、前記携帯端末の表示サイズを指定した表示枠数に分割したサイズに変換し、当該変換した画像を合わせて一画面とした画像を前記蓄積配信装置から受信する手段と、
を備えることを特徴とする携帯端末。
【請求項２】
蓄積配信装置から受信した画像をディスプレイに表示する携帯端末であって、
表示した画像の任意の位置及び範囲を複数指定する手段と、
前記指定された複数の位置及び範囲の画像情報を前記蓄積配信装置に送信する手段と、
前記指定された複数の位置及び範囲の画像情報に基づき、前記携帯端末の表示サイズを指定した表示枠数に分割したサイズに変換し、当該変換した画像を合わせて一画面とした画像を前記蓄積配信装置から受信する手段と、
前記受信した一画面とした画像を前記ディスプレイに表示する手段と、
を備えることを特徴とする携帯端末。
【発明の詳細な説明】
【技術分野】
【０００１】
本発明は、監視対象を撮像した映像を、その監視対象に関連した携帯端末へ配信するための、映像配信システムにおける携帯端末に関するものである。
【背景技術】
【０００２】
従来、携帯端末を用いた映像配信システムとは、撮像装置を用いて対象となる事物を撮像した映像を携帯端末で視聴するシステムである。
【０００３】
図５は従来の映像配信システムの構成を示す図であり（文献公知発明に係るものではない。）、従来の映像配信システムは撮像装置５０１、蓄積サーバ５０２、携帯端末５０３によって構成される。
【０００４】
予め視聴したい場所に撮像装置５０１を設置して常時撮像し、通信網を介して蓄積サーバ５０２に映像信号を送信する。そして携帯端末５０３を操作することで蓄積サーバ５０２に蓄積されている映像を視聴できることより、撮像範囲内を携帯端末より随時視聴することが可能である。
【０００５】
図６は撮像装置５０１で撮像して蓄積サーバ５０２に蓄積されている鮮明映像の例であり、図７は図６の携帯端末５０３に表示したディスプレイ７０１を示す。図６の右端に表示されている人物を６０１、図７のディスプレイ７０１に表示された映像の右端に表示されている人物を７０２とし、映像に表示されている人物を視聴したいものとする。図５の蓄積サーバ５０２に蓄積されている時点では、映像は図６より人物６０１が確認できる大きさで表示されている。しかしながら、実際に携帯端末で視聴する時の映は、図７より人物７０２が居るということが辛うじて分かる程度であり、その人物を確認するには余りにも映像が小さすぎて不可能であるといえる。また図７は、表示されている人物７０２を視聴するのにあたり、映像の大半が不必要な箇所である。
【発明の開示】
【発明が解決しようとする課題】
【０００６】
上記で述べたように、従来の技術では撮像装置で撮像した映像を携帯端末に表示するが、携帯端末のディスプレイは小さく画素数が少ないため、撮像装置で撮像した映像はユーザが視聴する場合では適切な映像であっても、携帯端末で視聴した場合は必要箇所が不鮮明に表示されている場合があり、必要箇所の詳細を把握することが不可能である。
【０００７】
本発明の目的は、携帯端末で視聴したい必要箇所を鮮明に表示することが可能な映像配信システムにおける携帯端末を提供することにある。
【課題を解決するための手段】
【０００８】
本発明は、蓄積配信装置から受信した画像をディスプレイに表示する携帯端末であって、画像を複数指定する手段と、前記指定された複数の画像情報に基づき、前記携帯端末の表示サイズを指定した表示枠数に分割したサイズに変換し、当該変換した画像を合わせて一画面とした画像を前記蓄積配信装置から受信する手段と、を備えることを特徴とする携帯端末である。
【０００９】
本発明は、蓄積配信装置から受信した画像をディスプレイに表示する携帯端末であって、表示した画像の任意の位置及び範囲を複数指定する手段と、前記指定された複数の位置及び範囲の画像情報を前記蓄積配信装置に送信する手段と、前記指定された複数の位置及び範囲の画像情報に基づき、前記携帯端末の表示サイズを指定した表示枠数に分割したサイズに変換し、当該変換した画像を合わせて一画面とした画像を前記蓄積配信装置から受信する手段と、前記受信した一画面とした画像を前記ディスプレイに表示する手段と、を備えることを特徴とする携帯端末である。
【００１０】
本発明は、上記記載において、前記映像の任意の位置及び範囲の指定を、表示枠を操作することにより指定することを特徴とする映像配信システムにおける携帯端末の映像表示方法である。
【発明の効果】
【００１１】
本発明によれば、携帯端末で視聴したい必要箇所を鮮明に表示することが可能な映像配信システムにおける携帯端末を得ることができる。
【発明を実施するための最良の形態】
【００１２】
本発明の実施の形態を図１，図２，図３，図４，図７，図８，図９を用いて以下に説明する。
【００１３】
図１は本発明の実施の形態の映像配信システムを示す図である。カメラ１０１、Ｗｅｂエンコーダ１０２、蓄積配信サーバ１０３、変換サーバ１０４、携帯端末１０５で構成されるものである。カメラ１０１で撮像した画像を、Ｗｅｂエンコーダ１０２で蓄積配信サーバ１０３に配信する。蓄積配信サーバ１０３に蓄積された画像を変換サーバ１０４に配信し、変換サーバ１０４で画像を携帯端末用の画像に変換して、携帯端末１０５に変換した画像を配信し、携帯端末１０５のディスプレイに表示する。
【００１４】
本発明の実施の形態の映像配信システムの変換サーバ１０４の構成を図４によって説明する。４０１はＣＰＵ（Ｃｅｎｔｒａｌ  Ｐｒｏｃｅｓｓｉｎｇ  Ｕｎｉｔ）、４０２は記憶装置、４０３はメモリ、４０４は画像変換部、４０５は通信インタフェース、４０６はコマンド解析部、４０７はバスである。ＣＰＵ４０１はバス４０７を介して、記憶装置４０２、メモリ４０３、画像変換部４０４、通信インタフェース４０５、コマンド解析部４０６と接続されている。
【００１５】
携帯端末１０５（図１）より送信された画像要求コマンドは、通信インタフェース４０５を通りコマンド解析部４０６で解析される。次に通信インタフェース４０５を通り蓄積配信サーバ１０３（図１）へ、コマンド解析部４０６の解析結果である指定画像を要求する。蓄積配信サーバ１０３より通信インタフェース４０５を通ってきた該当画像は、メモリ４０３に記憶される。メモリ４０３に記憶された画像は画像変換部４０４で変換され、記憶装置４０２に記憶される。記憶装置４０２に記憶された画像が、通信インタフェース４０５を通って携帯端末１０５（図１）に送信される。ＣＰＵ４０１は、バス４０７を介して接続されている他の構成要素と信号を送受し合い、該各構成要素はＣＰＵ４０１からのアクセス信号により制御される。
【００１６】
図２は、図１の携帯端末１０５を操作して蓄積配信サーバ１０３の画像を携帯端末１０５のディスプレイに表示する処理動作を説明するフローチャートである。
【００１７】
まず、ステップ２０１において図７のように携帯端末１０５（図１）のディスプレイ７０１に表示する画像を指定して表示する。次にステップ２０２で画像の拡大表示を選択した場合はステップ２０３に進み、拡大表示する画像の位置及び範囲を設定する。図８は、携帯端末１０５（図１）を操作して拡大表示する画像の位置及び範囲を表示枠８０１で設定している状態を示している。ディスプレイ７０１内に表示されている表示枠８０１を操作することで、表示枠８０１で囲まれた箇所が拡大表示される。ステップ２０４においてステップ２０２及びステップ２０３での設定に関わる設定情報を元に、携帯端末１０５（図１）のディスプレイ７０１に表示する画像要求コマンドを作成する。そしてステップ２０５で作成した設定情報を含む画像要求コマンドを変換サーバ１０４（図１）に送信し、ステップ２０６で変換サーバ１０４（図１）より取得した画像を、次のステップ２０７においてディスプレイ７０１に表示するものである。
【００１８】
図３は、図２のステップ２０６及びステップ２０７間の詳細処理を説明するフローチャートである。
【００１９】
まず、ステップ３０１において変換サーバ１０４（図１）は携帯端末１０５（図１）より画像要求コマンドを取得する。これは図２のステップ２０５で送信された画像要求コマンドと同一である。次にステップ３０２で、変換サーバ１０４（図１）は画像要求コマンド内の画像情報に記述されている画像を蓄積配信サーバ１０３（図１）より取得する。ステップ３０３において、ステップ３０１の画像要求コマンドで画像の拡大表示が指定されている場合、次のステップ３０４に進む。ここでは、ステップ３０１の画像情報にある携帯端末１０５（図１）に表示したい画像位置及び画像範囲を、ステップ３０２で取得した画像から切り取る。更にステップ３０５では、ステップ３０４で切り取った画像を携帯端末１０５（図１）の表示サイズに変換する。ステップ３０３において、ステップ３０１の画像要求コマンドで画像の拡大表示が指定されていない場合はステップ３０６に進み、ステップ３０２で取得した画像を携帯端末１０５（図１）の表示サイズに変換する。ステップ３０７では、ステップ３０５又はステップ３０６で変換された画像を、携帯端末１０５（図１）に送信する。
【００２０】
図９は、図２のステップ２０７で取得した画像を携帯端末１０５（図１）のディスプレイ７０１に表示した図である。図８の表示枠８０１内の画像が拡大表示されており、人物７０２が確認できる大きさで表示されていることが良く分かる。
【００２１】
次に、本発明の他の実施の形態を図１０，図１１，図１２，図１３を用いて以下に説明する。
【００２２】
図１０は、人物１００１、人物１００２、人物１００３、人物１００４の４人が存在する画像を携帯端末１０５（図１）のディスプレイ７０１に表示したものである。図１３は、図１０のディスプレイ７０１に表示の画像が蓄積配信サーバ１０３（図１）に蓄積されていた状態の鮮明画像の例である。
【００２３】
まず、図１の携帯端末１０５を操作して蓄積配信サーバ１０３の画像を携帯端末１０５のディスプレイに表示する処理動作であるが、上記実施の形態では図２のステップ２０３で拡大表示する画像の位置及び範囲を１箇所設定するとしたが、本実施の形態では図２のステップ２０３で拡大表示する画像の位置及び範囲を複数箇所設定することを可能とする。図１１は、図１０において画像の拡大表示の範囲を指定する表示枠１１０１、表示枠１１０２、表示枠１１０３、表示枠１１０４を設定した図である。ここでは図１０の人物１００１、人物１００２、人物１００３、人物１００４の拡大表示を実施するものである。他の処理については、上記実施の形態の図２と同様である。
【００２４】
図１の変換サーバ１０４での画像の切り取り処理であるが、上記実施の形態では図３のステップ３０５で切り取った画像を携帯端末１０５（図１）の表示サイズに変換するが、本実施の形態の場合ではステップ３０５は切り取った画像を携帯端末１０５（図１）の表示サイズを指定した表示枠数に分割したサイズに変換し、更に変換した画像を合わせて一画面にする処理となる。
【００２５】
図１２は、本実施の形態で図１１の各表示枠を拡大表示した画像を携帯端末１０５（図１）のディスプレイ７０１に表示したものである。一度に複数箇所の拡大表示が行なえる事より、表示範囲を設定して拡大表示するという操作を繰り返し行なうことなしにすむ。
【００２６】
本発明の実施の形態によれば、変換サーバを用いて、携帯端末において撮像装置で撮像した画像の拡大表示が行なえる。これによって、携帯端末での画像視聴において視聴対象の詳細を容易に把握することが可能となる。
【００２７】
更に、携帯端末において撮像装置で撮像した画像の複数箇所の拡大表示が行なえる。これによって、携帯端末での拡大表示に関する操作を繰り返し行なう必要がなく、操作の煩雑さを解消することができるものである。
【図面の簡単な説明】
【００２８】
【図１】本発明の実施の形態の蓄積配信システムを示す図である。
【図２】本発明の実施の形態の蓄積配信システムの処理動作を説明するためのフローチャート図である。
【図３】本発明の実施の形態の蓄積配信システムの処理動作を説明するためのフローチャート図である。
【図４】本発明の実施の形態の蓄積配信システムの変換サーバの構成を示すブロック図である。
【図５】従来の蓄積配信システムを示す図である。
【図６】蓄積配信システムで撮像装置を用いて撮像して蓄積サーバに蓄積された鮮明画像の例を示す図である。
【図７】蓄積配信システムで携帯端末に画像を表示した図である。
【図８】本発明の実施の形態の蓄積配信システムで携帯端末に画像を表示した図である。
【図９】本発明の実施の形態の蓄積配信システムで携帯端末に画像を表示した図である。
【図１０】従来の蓄積配信システムで携帯端末に他の画像を表示した図である。
【図１１】本発明の他の実施の形態の蓄積配信システムで携帯端末に画像を表示した図である。
【図１２】本発明の他の実施の形態の蓄積配信システムで携帯端末に画像を表示した図である。
【図１３】蓄積配信システムで撮像装置を用いて撮像して蓄積サーバに蓄積された他の鮮明画像の例を示す図である。
【符号の説明】
【００２９】
１０１：撮像装置、１０２：Ｗｅｂエンコーダ、１０３：蓄積配信サーバ、１０４：変換
サーバ、１０５：携帯端末、６０１：人物、７０１：ディスプレイ、７０２：人物、８０
１：表示枠、１００１，１００２，１００３，１００４：人物，１１０１，１１０２，１
１０３，１１０４：表示枠。
【図１】
2008219935.tif 000003
【図２】
2008219935.tif 000004
【図３】
2008219935.tif 000005
【図４】
2008219935.tif 000006
【図５】
2008219935.tif 000007
【図６】
2008219935.tif 000008
【図７】
2008219935.tif 000009
【図８】
2008219935.tif 000010
【図９】
2008219935.tif 000011
【図１０】
2008219935.tif 000012
【図１１】
2008219935.tif 000013
【図１２】
2008219935.tif 000014
【図１３】
2008219935.tif 000015